【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
方法であって、
気体ではない運搬媒体を気体の運搬媒体に、導入された熱エネルギにより、前記気体の運搬媒体が所定の高さに上昇するように変換する手順と；
前記気体の運搬媒体を圧縮機により圧縮する手順と；
前記圧縮された気体の運搬媒体を、所定の高さにおいて、前記運搬媒体の熱を受け入れる冷却回路により、気体でない運搬媒体に再変換する手順と；
前記運搬媒体を加熱するのに使用するために、前記冷却回路により受け入れられた熱を戻す手順と；
を具備することを特徴とする方法。
【請求項２】
前記気体の運搬媒体は、
前記気体ではない運搬媒体の、気体の運搬媒体への変換直後に、又は
前記圧縮された気体の運搬媒体の、気体ではない運搬媒体への再変換直前に、又は
前記気体ではない運搬媒体の気体の運搬媒体への前記変換と、前記圧縮された気体の運搬媒体の、気体ではない運搬媒体への前記再変換との間の経過時に、
発生することを特徴とする請求項１に記載の方法。
【請求項３】
前記圧縮された気体ではない運搬媒体を減圧することにより、タービンを駆動する手順を具備することを特徴とする請求項１又は２に記載の方法。
【請求項４】
前記回収された気体ではない運搬媒体が、より低い高さにある前記気体ではない運搬媒体がタービンを駆動する方法で、より高い高さからより低い高さに落下することを可能にする手順を具備する、ことを特徴とする請求項１から３のいずれか一項に記載の方法。
【請求項５】
前記タービンにより提供されるエネルギを使用する手順を具備しており、
前記使用する手順は、
機械的カップリングにより、前記気体の運搬媒体の圧縮を補助すること、又は
生成されたエネルギにより、異なるエネルギの形に変換後に、前記気体の運搬媒体を圧縮するのに必要なエネルギを減少させること、又は
熱エネルギへの変換後に、前記気体ではない運搬媒体の、気体の運搬媒体への変換前、中又は後に、前記運搬媒体を追加的に加熱すること、
を具備する、ことを特徴とする請求項３又は４に記載の方法。
【請求項６】
前記運搬媒体が前記タービンを駆動するのに使用された後に、前記運搬媒体により、前記冷却回路が具備する、伝達媒体を冷却する手順を具備する、ことを特徴とする請求項３から５のいずれか一項に記載の方法。
【請求項７】
前記運搬媒体が前記タービンを駆動するのに使用された後に、気体ではない運搬媒体で、前記冷却回路が具備する伝達媒体を交換する手順を具備する、ことを特徴とする請求項３から５のいずれか一項に記載の方法。
【請求項８】
前記運搬媒体は、本方法を通して、環境圧力を超過していて且つ圧縮により更に増大される、圧力に追加的に晒される、ことを特徴とする請求項１から７のいずれか一項に記載の方法。
【請求項９】
前記冷却回路が具備する伝達媒体は、本方法を通して、環境圧力を超える圧力に晒される、ことを特徴とする請求項８に記載の方法。
【請求項１０】
外部用途のために、前記回収された気体ではない運搬媒体を少なくとも部分的に抽出する手順を具備する、ことを特徴とする請求項１から９のいずれか一項に記載の方法。
【請求項１１】
前記気体の運搬媒体が少なくとも１つの構造を通り上昇する間に、前記気体の運搬媒体を案内する手順を具備する、ことを特徴とする請求項１から１０のいずれか一項に記載の方法。
【請求項１２】
装置であって、
空洞と；
前記空洞の下端部に配置される蒸発室であって、気体ではない運搬媒体を気体の運搬媒体に、導入された熱エネルギにより、前記気体の運搬媒体が所定の高さに上昇するように変換するように形成される蒸発室と；
前記気体の運搬媒体を圧縮するように形成される、圧縮機と；
前記圧縮された気体の運搬媒体を、所定の高さにおいて、前記運搬媒体の熱を受け入れることにより、気体ではない運搬媒体に再変換するように形成される、冷却回路であって、前記運搬媒体を加熱するのに使用するために、前記受け入れられた熱を戻すように形成される、冷却回路と；
を具備することを特徴とする装置。
【請求項１３】
前記圧縮機は、前記空洞内において、
前記蒸発室の直後に、又は
前記所定の高さの直下に、又は
前記蒸発室と前記所定の高さとの間の区域に、
配置される、ことを特徴とする請求項１２に記載の装置。
【請求項１４】
少なくとも、前記圧縮された気体ではない運搬媒体を減圧することにより駆動されるように形成される、タービンを具備する、ことを特徴とする請求項１２又は１３に記載の装置。
【請求項１５】
前記回収された気体ではない運搬媒体がより高い高さから、より低い高さへ落下することを可能にするように形成される、落下経路と、
前記より低い高さに配置されるタービンであって、少なくとも、落下する運搬媒体による運動エネルギにより駆動されるように形成される、タービンと、
を具備する、ことを特徴とする請求項１２から１４のいずれか一項に記載の装置。
【請求項１６】
前記タービンと前記圧縮機との間の機械的カップリングと、
前記タービンにより提供されるエネルギを異なるエネルギの形に変換し、更に前記変換されたエネルギを前記圧縮機に提供するように形成された、エネルギ変換装置と、
前記タービンにより提供されるエネルギを熱エネルギの形に変換し、更に前記気体ではない運搬媒体の、気体の運搬媒体への変換前又は中又は後に、前記運搬媒体を追加的に加熱するように、前記熱エネルギを提供するように形成される、エネルギ変換装置と、
の内の少なくともいずれか１つを具備する、ことを特徴とする請求項１４又は１５に記載の装置。
【請求項１７】
前記運搬媒体が前記タービンを駆動するように使用された後に、前記運搬媒体により、前記冷却回路が具備する伝達媒体を冷却するように形成される、熱交換器を具備することを特徴とする請求項１４から１６のいずれか一項に記載の装置。
【請求項１８】
前記運搬媒体が前記タービンを駆動するように使用された後に、前記気体ではない運搬媒体で、前記冷却回路が具備する伝達媒体を交換するように形成される、交換手段を具備することを特徴とする請求項１４から１６のいずれか一項に記載の装置。
【請求項１９】
前記運搬媒体への圧力を調整するように形成された超過圧力手段を具備しており、前記運搬媒体への圧力は、環境圧力を超過し、前記圧縮機により更に増大される、ことを特徴とする請求項１２から１８のいずれか一項に記載の装置。
【請求項２０】
前記超過圧力手段は、前記冷却回路が具備する伝達媒体への圧力を調整するように形成されており、前記伝達媒体への圧力は、環境圧力を超過する、ことを特徴とする請求項１９に記載の装置。
【請求項２１】
装置の外部用途のために、前記回収された気体ではない運搬媒体を少なくとも部分的に抽出するための抽出点を具備する、ことを特徴とする請求項１２から２０のいずれか一項に記載の装置。
【請求項２２】
前記気体の運搬媒体が上昇中に通過することを可能にするように形成される、少なくとも１つの構造を具備する、ことを特徴とする請求項１２から２１のいずれか一項に記載の装置。
【請求項２３】
請求項１２から２２のいずれか一項に記載の装置を具備するシステムであって、更に
請求項１２から２２のいずれか一項に記載の装置に提供される、熱エネルギを獲得するように形成される少なくとも１つの装置を具備することを特徴とするシステム。